(57)【要約】  本願は、ページング方法、ネットワークデバイス及び端末デバイスを開示し、該方法は、ネットワークデバイスが端末デバイスをページングするためのページング時間窓を決定することと、前記ネットワークデバイスが前記ページング時間窓に基づいて、許可不要の周波数帯上のキャリアが空いてるかどうかをリッスンすることとを含み、前記ページング時間窓がＳ個の候補ページング時刻ＰＯを含み、Ｓが１以上の正の整数である。１つのＰＯのみでなく、１つページング時間窓でリッスンするため、ネットワークデバイスは１つのページング周期内に複数のページングメッセージの送信機会を有することができ、許可不要の周波数帯でページングする際のページングメッセージの送信遅延を大幅に低減することができる。
2021513767.tif 000002
【特許請求の範囲】
【請求項１】
ネットワークデバイスが端末デバイスをページングするためのページング時間窓を決定することと、
前記ネットワークデバイスが前記ページング時間窓に基づいて、許可不要の周波数帯上のキャリアが空いてるかどうかをリッスンすることとを含み、
前記ページング時間窓がＳ個の候補ページング時刻ＰＯを含み、Ｓが１以上の正の整数である
ことを特徴とするページング方法。
【請求項２】
前記方法は、さらに、
前記ネットワークデバイスがリッスン結果に基づいて、前記ページング時間窓のＰＯに前記端末デバイスをページングすることを含む
ことを特徴とする請求項１に記載のページング方法。
【請求項３】
前記ネットワークデバイスが端末デバイスをページングするためのページング時間窓を決定することは、
前記ネットワークデバイスが前記端末デバイスをページングするための参照ページングフレームＰＦにおいて、参照ＰＯを決定することと、
前記ネットワークデバイスが前記参照ＰＯ及び前記参照ＰＯの前のＭ１個のＰＯ及び／又は前記参照ＰＯの後のＭ２個のＰＯを前記ページング時間窓として決定することとを含み、Ｍ１とＭ２とが正の整数である
ことを特徴とする請求項１又は２に記載のページング方法。
【請求項４】
2021513767.tif 000012
【請求項５】
前記ネットワークデバイスが端末デバイスをページングするためのページング時間位置を決定することは、
前記ネットワークデバイスが少なくとも１つの無線フレームから、Ｓ個のＰＯを前記ページング時間窓として選定することを含み、
前記少なくとも１つの無線フレームが参照ＰＦを含み、又は、
前記少なくとも１つの無線フレームが前記参照ＰＦ及び前記参照ＰＦの前のＫ１個の無線フレーム及び／又は前記参照ＰＦの後のＫ２個の無線フレームを含み、Ｋ１とＫ２とが正の整数である
ことを特徴とする請求項１又は２に記載のページング方法。
【請求項６】
前記方法は、さらに、
前記ネットワークデバイスが前記端末デバイスに第２の指示情報を送信することを含み、前記第２の指示情報が前記Ｓ個のＰＯの位置を示す
ことを特徴とする請求項５に記載のページング方法。
【請求項７】
前記ネットワークデバイスが前記端末デバイスに第２の指示情報を送信することは、
前記ネットワークデバイスが許可の周波数帯上のキャリアで前記第２の指示情報を送信することを含む
ことを特徴とする請求項６に記載のページング方法。
【請求項８】
前記ネットワークデバイスが前記端末デバイスに第２の指示情報を送信することは、
前記ネットワークデバイスが許可不要の周波数帯上のキャリアで前記第２の指示情報を送信することを含む
ことを特徴とする請求項６に記載のページング方法。
【請求項９】
前記第２の指示情報は、ブロードキャストメッセージ又は無線リソース制御ＲＲＣシグナリングに搬送される
ことを特徴とする請求項６〜８のいずれか１項に記載のページング方法。
【請求項１０】
前記参照ＰＦのシステムフレーム番号SFNは、SFN  mod  T=（T/N）×（UE-ID  mod  N）を満たし、Tが１つのページング周期の時間長であり、UE-IDが前記端末デバイスのデバイス識別子であり、Nが１つのページング周期内に前記ページングメッセージの受信に使用可能なＰＦの数である
ことを特徴とする請求項３〜９のいずれか１項に記載のページング方法。
【請求項１１】
前記ネットワークデバイスがリッスン結果に基づいて、前記ページング時間窓のＰＯにおいて前記端末デバイスをページングすることは、
前記ネットワークデバイスがリッスン結果に基づいて、前記ページング時間窓の前記ＰＯにおいて、ページングメッセージが搬送される第１のチャネルを前記端末デバイスに送信することを含み、前記第１のチャネルが制御チャネル及び／又はデータチャネルを含む
ことを特徴とする請求項２〜１０のいずれか１項に記載のページング方法。
【請求項１２】
前記ネットワークデバイスがリッスン結果に基づいて、前記ページング時間窓の前記ＰＯにおいて、ページングメッセージが搬送される第１のチャネルを前記端末デバイスに送信することは、
前記ネットワークデバイスが前記ＰＯの前記ページング時間窓での位置に基づいて、前記第１のチャネルを送信するためのページング無線ネットワーク一時識別子Ｐ−ＲＮＴＩを決定することと、
前記ネットワークデバイスが前記Ｐ−ＲＮＴＩを利用して、前記ページング時間窓の前記ＰＯにおいて前記端末デバイスに前記第１のチャネルを送信することとを含む
ことを特徴とする請求項１１に記載のページング方法。
【請求項１３】
前記Ｓ個の候補ＰＯがＳ個のＰ−ＲＮＴＩに一対一対応し、前記ネットワークデバイスは、各ＰＯに対応するＰ−ＲＮＴＩを利用して、前記各ＰＯにおいて前記第１のチャネルを送信する
ことを特徴とする請求項１２に記載のページング方法。
【請求項１４】
前記方法は、さらに、
前記ネットワークデバイスが前記端末デバイスに第１の指示情報を送信することを含み、前記第１の指示情報は、前記Ｓ個の候補ＰＯと前記Ｓ個のＰ−ＲＮＴＩとのマッピング関係を示す
ことを特徴とする請求項１３に記載のページング方法。
【請求項１５】
前記ネットワークデバイスが前記端末デバイスに第１の指示情報を送信することは、
前記ネットワークデバイスが許可の周波数帯上のキャリアで前記第１の指示情報を送信することを含む
ことを特徴とする請求項１４に記載のページング方法。
【請求項１６】
前記ネットワークデバイスが前記端末デバイスに第１の指示情報を送信することは、
前記ネットワークデバイスが許可不要の周波数帯上のキャリアで前記第１の指示情報を送信することを含む
ことを特徴とする請求項１４に記載のページング方法。
【請求項１７】
前記第１の指示情報は、ブロードキャストメッセージ又は無線リソース制御ＲＲＣシグナリングに搬送される
ことを特徴とする請求項１４〜１６のいずれか１項に記載のページング方法。
【請求項１８】
端末デバイスが、ネットワークデバイスが端末デバイスをページングするためのページング時間窓を決定することと、
前記端末デバイスが前記候補ページング時間窓において、ネットワークデバイスにより送信されたページングメッセージをリッスンすることとを含み、
前記ページング時間窓がＳ個の候補ページング時刻ＰＯを含み、Ｓが１以上の正の整数である
ことを特徴とするページング方法。
【請求項１９】
前記端末デバイスが、ネットワークデバイスが端末デバイスをページングするためのページング時間窓を決定することは、
前記端末デバイスが、前記ネットワークデバイスが前記端末デバイスをページングするための参照ページングフレームＰＦにおいて、参照ＰＯを決定することと、
前記端末デバイスが前記参照ＰＯ、及び前記参照ＰＯの前のＭ１個のＰＯ及び／又は前記参照ＰＯの後のＭ２個のＰＯを前記ページング時間窓として決定することとを含み、Ｍ１とＭ２とが正の整数である
ことを特徴とする請求項１８に記載のページング方法。
【請求項２０】
2021513767.tif 000013
【請求項２１】
前記端末デバイスが、ネットワークデバイスが端末デバイスをページングするためのページング時間窓を決定することは、
前記端末デバイスが少なくとも１つの無線フレームから、Ｓ個のＰＯを前記ページング時間窓として選定することを含み、
前記少なくとも１つの無線フレームが参照ＰＦを含み、又は、
前記少なくとも１つの無線フレームが前記参照ＰＦ及び前記参照ＰＦの前のＫ１個の無線フレーム及び／又は前記参照ＰＦの後のＫ２個の無線フレームを含み、Ｋ１とＫ２とが正の整数である
ことを特徴とする請求項１８に記載のページング方法。
【請求項２２】
前記端末デバイスが少なくとも１つの無線フレームから、Ｓ個のＰＯを前記ページング時間窓として選定することは、
前記端末デバイスが前記ネットワークデバイスにより送信された第２の指示情報を受信し、前記第２の指示情報が前記Ｓ個のＰＯの位置を示すこと、又は、
前記端末デバイスが前記端末デバイスに予め記憶された前記Ｓ個のＰＯ的位置情報を取得することを含む
ことを特徴とする請求項２１に記載のページング方法。
【請求項２３】
前記端末デバイスが前記ネットワークデバイスにより送信された第２の指示情報を受信することは、
前記端末デバイスが、前記ネットワークデバイスが許可の周波数帯上のキャリアで送信された前記第２の指示情報を受信することを含む
ことを特徴とする請求項２２に記載のページング方法。
【請求項２４】
前記端末デバイスが前記ネットワークデバイスにより送信された第２の指示情報を受信することは、
前記端末デバイスが、前記ネットワークデバイスが許可不要の周波数帯上のキャリアで送信された前記第２の指示情報を受信することを含む
ことを特徴とする請求項２２に記載のページング方法。
【請求項２５】
前記第２の指示情報は、ブロードキャストメッセージ又は無線リソース制御ＲＲＣシグナリングに搬送される
ことを特徴とする請求項２２〜２４のいずれか１項に記載のページング方法。
【請求項２６】
前記参照ＰＦのシステムフレーム番号SFNは、SFN  mod  T=（T/N）×（UE-ID  mod  N）を満たし、Tが１つのページング周期の時間長であり、UE-IDが前記端末デバイスのデバイス識別子であり、Nが１つのページング周期内に前記ページングメッセージの受信に使用可能なＰＦの数である
ことを特徴とする請求項１９〜２５のいずれか１項に記載のページング方法。
【請求項２７】
前記端末デバイスが前記ページング時間窓において、ネットワークデバイスにより送信されたページングメッセージをリッスンする前に、前記方法は、さらに、
前記端末デバイスが前記ネットワークデバイスにより送信された第１の指示情報を受信し、前記第１の指示情報が前記Ｓ個の候補ＰＯとＳ個のＰ−ＲＮＴとのマッピング関係を示し、前記ネットワークデバイスは、各ＰＯに対応するＰ−ＲＮＴＩを利用して、前記各ＰＯにおいて前記第１のチャネルを送信することを含み、
前記端末デバイスが前記ページング時間窓において、ネットワークデバイスにより送信されたページングメッセージをリッスンすることは、
前記端末デバイスが前記第１の指示情報に基づいて、前記ページング時間窓においてネットワークデバイスにより送信された前記ページングメッセージをリッスンすることを含む
ことを特徴とする請求項１８〜２６のいずれか１項に記載のページング方法。
【請求項２８】
前記端末デバイスが前記ネットワークデバイスにより送信された第１の指示情報を受信することは、
前記端末デバイスが、前記ネットワークデバイスが許可の周波数帯上のキャリアで送信された前記第１の指示情報を受信することを含む
ことを特徴とする請求項２７に記載のページング方法。
【請求項２９】
前記端末デバイスが前記ネットワークデバイスにより送信された第１の指示情報を受信することは、
前記端末デバイスが、前記ネットワークデバイスが許可不要の周波数帯上のキャリアで送信された前記第１の指示情報を受信することを含む
ことを特徴とする請求項２７に記載のページング方法。
【請求項３０】
前記第１の指示情報は、ブロードキャストメッセージ又は無線リソース制御ＲＲＣシグナリングに搬送される
ことを特徴とする請求項２７〜２９のいずれか１項に記載のページング方法。
【請求項３１】
決定ユニットと、リッスンユニットと、を備えるネットワークデバイスであって、
前記決定ユニットは、端末デバイスをページングするためのページング時間窓を決定するように構成され、前記ページング時間窓がＳ個の候補ページング時刻ＰＯを含み、Ｓが１以上の正の整数であり、
リッスンユニットは、前記ページング時間窓に基づいて、許可不要の周波数帯上のキャリアが空いてるかどうかをリッスンするように構成される
ことを特徴とするネットワークデバイス。
【請求項３２】
前記ネットワークデバイスが送信ユニットをさらに含み、
前記送信ユニットは、リッスン結果に基づいて、前記ページング時間窓のＰＯにおいて、前記端末デバイスをページングするように構成される
ことを特徴とする請求項３１に記載のネットワークデバイス。
【請求項３３】
前記決定ユニットは、
前記端末デバイスをページングするための参照ページングフレームＰＦから、参照ＰＯを決定し、
前記参照ＰＯ、及び前記参照ＰＯの前のＭ１個のＰＯ及び／又は前記参照ＰＯの後のＭ２個のＰＯを前記ページング時間窓として決定するように構成され、Ｍ１とＭ２とが正の整数である
ことを特徴とする請求項３１又は３２に記載のネットワークデバイス。
【請求項３４】
2021513767.tif 000014
【請求項３５】
前記決定ユニットは、
少なくとも１つの無線フレームから、Ｓ個のＰＯを前記ページング時間窓として選定するように構成され、
前記少なくとも１つの無線フレームが参照ＰＦを含み、又は、
前記少なくとも１つの無線フレームが前記参照ＰＦ及び前記参照ＰＦの前のＫ１個の無線フレーム及び／又は前記参照ＰＦの後のＫ２個の無線フレームを含み、Ｋ１とＫ２とが正の整数である
ことを特徴とする請求項３１又は３２に記載のネットワークデバイス。
【請求項３６】
前記送信ユニットは、さらに、
前記端末デバイスに第２の指示情報を送信するように構成され、前記第２の指示情報が前記Ｓ個のＰＯの位置を示す
ことを特徴とする請求項３５に記載のネットワークデバイス。
【請求項３７】
前記送信ユニットは、
許可の周波数帯上のキャリアで前記第２の指示情報を送信するように構成される
ことを特徴とする請求項３６に記載のネットワークデバイス。
【請求項３８】
前記送信ユニットは、
許可不要の周波数帯上のキャリアで前記第２の指示情報を送信するように構成される
ことを特徴とする請求項３６に記載のネットワークデバイス。
【請求項３９】
前記第２の指示情報は、ブロードキャストメッセージ又は無線リソース制御ＲＲＣシグナリングに搬送される
ことを特徴とする請求項３６〜３８のいずれか１項に記載のネットワークデバイス。
【請求項４０】
前記参照ＰＦのシステムフレーム番号SFNは、SFN  mod  T=（T/N）×（UE-ID  mod  N）を満たし、Tが１つのページング周期の時間長であり、UE-IDが前記端末デバイスのデバイス識別子であり、Nが１つのページング周期内に前記ページングメッセージの受信に使用可能なＰＦの数である
ことを特徴とする請求項３３〜３９のいずれか１項に記載のネットワークデバイス。
【請求項４１】
前記送信ユニットは、
リッスン結果に基づいて、前記ページング時間窓の前記ＰＯにおいて、ページングメッセージが搬送される第１のチャネルを前記端末デバイスに送信するように構成され、前記第１のチャネルが制御チャネル及び／又はデータチャネルを含む
ことを特徴とする請求項３２〜４０のいずれか１項に記載のネットワークデバイス。
【請求項４２】
前記決定ユニットは、さらに、
前記ＰＯの前記ページング時間窓の位置に基づいて、前記第１のチャネルを送信するためのページング無線ネットワーク一時識別子Ｐ−ＲＮＴＩを決定するように構成され、
前記送信ユニットは、
前記Ｐ−ＲＮＴＩを利用して、前記ページング時間窓の前記ＰＯにおいて、前記端末デバイスに前記第１のチャネルを送信するように構成される
ことを特徴とする請求項４１に記載のネットワークデバイス。
【請求項４３】
前記Ｓ個の候補ＰＯがＳ個のＰ−ＲＮＴＩに一対一対応し、前記ネットワークデバイスは、各ＰＯに対応するＰ−ＲＮＴＩを利用して、前記各ＰＯにおいて前記第１のチャネルを送信する
ことを特徴とする請求項４２に記載のネットワークデバイス。
【請求項４４】
前記送信ユニットは、
前記端末デバイスに第１の指示情報を送信するように構成され、前記第１の指示情報は、前記Ｓ個の候補ＰＯと前記Ｓ個のＰ−ＲＮＴＩとのマッピング関係を示す
ことを特徴とする請求項４３に記載のネットワークデバイス。
【請求項４５】
前記送信ユニットは、
許可の周波数帯上のキャリアで前記第１の指示情報を送信するように構成される
ことを特徴とする請求項４３に記載のネットワークデバイス。
【請求項４６】
前記送信ユニットは、
許可不要の周波数帯上のキャリアで前記第１の指示情報を送信するように構成される
ことを特徴とする請求項４３に記載のネットワークデバイス。
【請求項４７】
前記第１の指示情報は、ブロードキャストメッセージ又は無線リソース制御ＲＲＣシグナリングに搬送される
ことを特徴とする請求項４４〜４６のいずれか１項に記載のネットワークデバイス。
【請求項４８】
決定ユニットと、リッスンユニットと、を備えるページング端末デバイスであって、
前記決定ユニットは、ネットワークデバイスが端末デバイスをページングするためのページング時間窓を決定するように構成され、前記ページング時間窓がＳ個の候補ページング時刻ＰＯを含み、Ｓが１以上の正の整数であり、
リッスンユニットは、前記ページング時間窓において、ネットワークデバイスにより送信されたページングメッセージをリッスンするように構成される
ことを特徴とする端末デバイス。
【請求項４９】
前記決定ユニットは、
前記ネットワークデバイスが前記端末デバイスをページングするための参照ページングフレームＰＦから、参照ＰＯを決定し、
前記参照ＰＯ、及び前記参照ＰＯの前のＭ１個のＰＯ及び／又は前記参照ＰＯの後のＭ２個のＰＯを、前記ページング時間窓として決定するように構成され、Ｍ１とＭ２とが正の整数である
ことを特徴とする請求項４８に記載の端末デバイス。
【請求項５０】
2021513767.tif 000015
【請求項５１】
前記決定ユニットは、
少なくとも１つの無線フレームから、Ｓ個のＰＯを前記ページング時間窓として選定するように構成され、
前記少なくとも１つの無線フレームが参照ＰＦを含み、又は、
前記少なくとも１つの無線フレームが前記参照ＰＦ及び前記参照ＰＦの前のＫ１個の無線フレーム及び／又は前記参照ＰＦの後のＫ２個の無線フレームを含み、Ｋ１とＫ２とが正の整数である
ことを特徴とする請求項４８に記載の端末デバイス。
【請求項５２】
前記決定ユニットは、
前記受信ユニットを介して、前記ネットワークデバイスにより送信された第２の指示情報を受信し、前記第２の指示情報が前記Ｓ個のＰＯの位置を示し、
又は、
前記端末デバイスに予め記憶された前記Ｓ個のＰＯの位置情報を取得するように構成される
ことを特徴とする請求項５１に記載の端末デバイス。
【請求項５３】
前記受信ユニットは、
前記ネットワークデバイスが許可の周波数帯上のキャリアで送信された前記第２の指示情報を受信するように構成される
ことを特徴とする請求項５２に記載の端末デバイス。
【請求項５４】
前記受信ユニットは、
前記ネットワークデバイスが許可不要の周波数帯上のキャリアで送信された前記第２の指示情報を受信するように構成される
ことを特徴とする請求項５３に記載の端末デバイス。
【請求項５５】
前記第２の指示情報は、ブロードキャストメッセージ又は無線リソース制御ＲＲＣシグナリングに搬送される
ことを特徴とする請求項５２〜５４のいずれか１項に記載の端末デバイス。
【請求項５６】
前記参照ＰＦのシステムフレーム番号SFNは、SFN  mod  T=（T/N）×（UE-ID  mod  N）を満たし、Tが１つのページング周期の時間長であり、UE-IDが前記端末デバイスのデバイス識別子であり、Nが１つのページング周期内に前記ページングメッセージの受信に使用可能なＰＦの数である
ことを特徴とする請求項４９〜５５のいずれか１項に記載の端末デバイス。
【請求項５７】
前記端末デバイスが受信ユニットをさらに含み、
前記受信ユニットは、前記ネットワークデバイスにより送信された第１の指示情報を受信するように構成され、前記第１の指示情報が前記Ｓ個の候補ＰＯとＳ個のＰ−ＲＮＴとのマッピング関係を示し、前記ネットワークデバイスは、各ＰＯに対応するＰ−ＲＮＴＩを利用して、前記各ＰＯにおいて前記第１のチャネルを送信し、
前記リッスンユニットは、
前記第１の指示情報に基づいて、前記ページング時間窓においてネットワークデバイスにより送信された前記ページングメッセージをリッスンするように構成される
ことを特徴とする請求項４８〜５６のいずれか１項に記載の端末デバイス。
【請求項５８】
前記受信ユニットは、
前記ネットワークデバイスが許可の周波数帯上のキャリアで送信された前記第１の指示情報を受信するように構成される
ことを特徴とする請求項５７に記載の端末デバイス。
【請求項５９】
前記受信ユニットは、
前記ネットワークデバイスが許可不要の周波数帯上のキャリアで送信された前記第１の指示情報を受信するように構成される
ことを特徴とする請求項５７に記載の端末デバイス。
【請求項６０】
前記第１の指示情報は、ブロードキャストメッセージ又は無線リソース制御ＲＲＣシグナリングに搬送される
ことを特徴とする請求項５７〜５９のいずれか１項に記載の端末デバイス。
【発明の詳細な説明】
【技術分野】
【０００１】
本願の実施例は、無線通信分野に関し、特に、ページング方法、ネットワークデバイス及び端末デバイスに関する。
【背景技術】
【０００２】
許可不要の周波数帯で動作する通信システムでは、送信側は、信号を送信する前に、リッスンしてから通信のＬＢＴ(Ｌｉｓｔｅｎ Ｂｅｆｏｒｅ Ｔａｌｋ)を用いて、チャネルが空っているか否かを判断し、空っていると判断した場合にのみ信号を送信する必要がある。
【０００３】
ロングタームエボリューション( Ｌｏｎｇ Ｔｅｒｍ Ｅｖｏｌｕｔｉｏｎ、ＬＴＥ )システムにおいて、ページング（ｐａｇｉｎｇ）メッセージは、ページング無線フレーム( Ｐａｇｉｎｇ Ｆｒａｍｅ、ＰＦ )における１つのページング時点( Ｐａｇｉｎｇ Ｏｃｃａｓｉｏｎ、ＰＯ )で伝送される。一方、新たな無線( Ｎｅｗ Ｒａｄｉｏ、ＮＲ )システムでは、許可不要の周波数帯のページングメッセージの伝送について、この方式でページングメッセージを送信する場合、１つのページング周期に１回のページングメッセージの送信機会しかないため、ネットワークデバイスは、ページングメッセージを送信する前にチャネルを予約してないと、送信を延期し、ネットワークデバイスがチャネルを予約して成功してから送信し、ページングメッセージの送信に大きな遅延が生じる。
【発明の概要】
【０００４】
本願の実施例は、ページングメッセージの送信遅延を低減されることができるページング方法、ネットワークデバイス及び端末デバイスを提供する。
【０００５】
第１の態様は、ページング方法を提供し、ネットワークデバイスが端末デバイスをページングするためのページング時間窓を決定することと、前記ネットワークデバイスが前記ページング時間窓に基づいて、許可不要の周波数帯上のキャリアが空いてるかどうかをリッスンすることとを含み、前記ページング時間窓がＳ個の候補ページング時刻ＰＯを含み、Ｓが１以上の正の整数である。
【０００６】
実現可能な形態において、前記ネットワークデバイスがリッスン結果に基づいて、前記ページング時間窓のＰＯに前記端末デバイスをページングすることを含む。
【０００７】
このように、本願の実施例では、ネットワークデバイス及び端末デバイスが許可不要の周波数帯でリッスンする際に、１つのＰＯのみでなく、１つページング時間窓でリッスンするため、ネットワークデバイスは１つのページング周期内に複数のページングメッセージの送信機会を有することができ、許可不要の周波数帯でページングする際のページングメッセージの送信遅延を大幅に低減することができる。
【０００８】
実現可能な形態において、前記ネットワークデバイスが端末デバイスをページングするためのページング時間窓を決定することは、前記ネットワークデバイスが前記端末デバイスをページングするための参照ページングフレームＰＦにおいて、参照ＰＯを決定することと、前記ネットワークデバイスが前記参照ＰＯ及び前記参照ＰＯの前のＭ１個のＰＯ及び／又は前記参照ＰＯの後のＭ２個のＰＯを前記ページング時間窓として決定することとを含み、Ｍ１とＭ２とが正の整数である。
【０００９】
2021513767.tif 000003
【００１０】
実現可能な形態において、前記ネットワークデバイスが端末デバイスをページングするためのページング時間位置を決定することは、前記ネットワークデバイスが少なくとも１つの無線フレームから、Ｓ個のＰＯを前記ページング時間窓として選定することを含み、ここで、前記少なくとも１つの無線フレームが参照ＰＦを含み、又は、前記少なくとも１つの無線フレームが前記参照ＰＦ及び前記参照ＰＦの前のＫ１個の無線フレーム及び／又は前記参照ＰＦの後のＫ２個の無線フレームを含み、ここで、Ｋ１とＫ２とが正の整数である。
【００１１】
実現可能な形態において、前記方法は、さらに、前記ネットワークデバイスが前記端末デバイスに第２の指示情報を送信することを含み、前記第２の指示情報が前記Ｓ個のＰＯの位置を示す。
【００１２】
実現可能な形態において、前記ネットワークデバイスが前記端末デバイスに第２の指示情報を送信することは、前記ネットワークデバイスが許可の周波数帯上のキャリアで前記第２の指示情報を送信することを含む。
【００１３】
実現可能な形態において、前記ネットワークデバイスが前記端末デバイスに第２の指示情報を送信することは、前記ネットワークデバイスが許可不要の周波数帯上のキャリアで前記第２の指示情報を送信することを含む。
【００１４】
実現可能な形態において、前記第２の指示情報は、ブロードキャストメッセージ又は無線リソース制御ＲＲＣシグナリングに搬送される。
【００１５】
実現可能な形態において、前記参照ＰＦのシステムフレーム番号SFNは、SFN mod T=（T/N）×（UE-ID mod N）を満たし、ここで、Tが１つのページング周期の時間長であり、UE-IDが前記端末デバイスのデバイス識別子であり、Nが１つのページング周期内に前記ページングメッセージの受信に使用可能なＰＦの数である。
【００１６】
実現可能な形態において、前記ネットワークデバイスがリッスン結果に基づいて、前記ページング時間窓のＰＯにおいて前記端末デバイスをページングすることは、前記ネットワークデバイスがリッスン結果に基づいて、前記ページング時間窓の前記ＰＯにおいて、ページングメッセージが搬送される第１のチャネルを前記端末デバイスに送信することを含み、前記第１のチャネルが制御チャネル及び／又はデータチャネルを含む。
【００１７】
実現可能な形態において、前記ネットワークデバイスがリッスン結果に基づいて、前記ページング時間窓の前記ＰＯにおいて、ページングメッセージが搬送される第１のチャネルを前記端末デバイスに送信することは、前記ネットワークデバイスが前記ＰＯの前記ページング時間窓での位置に基づいて、前記第１のチャネルを送信するためのページング無線ネットワーク一時識別子Ｐ−ＲＮＴＩを決定することと、前記ネットワークデバイスが前記Ｐ−ＲＮＴＩを利用して、前記ページング時間窓の前記ＰＯにおいて前記端末デバイスに前記第１のチャネルを送信することとを含む。
【００１８】
実現可能な形態において、前記Ｓ個の候補ＰＯがＳ個のＰ−ＲＮＴＩに一対一対応し、前記ネットワークデバイスは、各ＰＯに対応するＰ−ＲＮＴＩを利用して、前記各ＰＯにおいて前記第１のチャネルを送信する。
【００１９】
実現可能な形態において、前記方法は、さらに、前記ネットワークデバイスが前記端末デバイスに第１の指示情報を送信することを含み、前記第１の指示情報は、前記Ｓ個の候補ＰＯと前記Ｓ個のＰ−ＲＮＴＩとのマッピング関係を示す。
実現可能な形態において、前記ネットワークデバイスが前記端末デバイスに第１の指示情報を送信することは、前記ネットワークデバイスが許可の周波数帯上のキャリアで前記第１の指示情報を送信することを含む。
【００２０】
実現可能な形態において、前記ネットワークデバイスが前記端末デバイスに第１の指示情報を送信することは、前記ネットワークデバイスが許可不要の周波数帯上のキャリアで前記第１の指示情報を送信することを含む。
【００２１】
実現可能な形態において、前記第１の指示情報は、ブロードキャストメッセージ又は無線リソース制御ＲＲＣシグナリングに搬送される。
【００２２】
第２の態様は、ページング方法を提供し、端末デバイスが、ネットワークデバイスが端末デバイスをページングするためのページング時間窓を決定することと、前記端末デバイスが前記候補ページング時間窓において、ネットワークデバイスにより送信されたページングメッセージをリッスンすることとを含み、前記ページング時間窓がＳ個の候補ページング時刻ＰＯを含み、Ｓが１以上の正の整数である。
【００２３】
このように、本願の実施例では、ネットワークデバイス及び端末デバイスが許可不要の周波数帯でリッスンする際に、１つのＰＯのみでなく、１つページング時間窓でリッスンするため、ネットワークデバイスは１つのページング周期内に複数のページングメッセージの送信機会を有することができ、許可不要の周波数帯でページングする際のページングメッセージの送信遅延を大幅に低減することができる。
【００２４】
実現可能な形態において、前記端末デバイスが、ネットワークデバイスが端末デバイスをページングするためのページング時間窓を決定することは、前記端末デバイスが、前記ネットワークデバイスが前記端末デバイスをページングするための参照ページングフレームＰＦにおいて、参照ＰＯを決定することと、前記端末デバイスが前記参照ＰＯ、及び前記参照ＰＯの前のＭ１個のＰＯ及び／又は前記参照ＰＯの後のＭ２個のＰＯを前記ページング時間窓として決定することとを含み、Ｍ１とＭ２とが正の整数である。
【００２５】
2021513767.tif 000004
【００２６】
実現可能な形態において、前記端末デバイスが、ネットワークデバイスが端末デバイスをページングするためのページング時間窓を決定することは、前記端末デバイスが少なくとも１つの無線フレームから、Ｓ個のＰＯを前記ページング時間窓として選定することを含み、ここで、前記少なくとも１つの無線フレームが参照ＰＦを含み、又は、前記少なくとも１つの無線フレームが前記参照ＰＦ及び前記参照ＰＦの前のＫ１個の無線フレーム及び／又は前記参照ＰＦの後のＫ２個の無線フレームを含み、ここで、Ｋ１とＫ２とが正の整数である。
【００２７】
実現可能な形態において、前記端末デバイスが少なくとも１つの無線フレームから、Ｓ個のＰＯを前記ページング時間窓として選定することは、前記端末デバイスが前記ネットワークデバイスにより送信された第２の指示情報を受信し、前記第２の指示情報が前記Ｓ個のＰＯの位置を示し、又は、前記端末デバイスが前記端末デバイスに予め記憶された前記Ｓ個のＰＯ的位置情報を取得することを含む。
【００２８】
実現可能な形態において、前記端末デバイスが前記ネットワークデバイスにより送信された第２の指示情報を受信することは、前記端末デバイスが、前記ネットワークデバイスが許可の周波数帯上のキャリアで送信された前記第２の指示情報を受信することを含む。
【００２９】
実現可能な形態において、前記端末デバイスが前記ネットワークデバイスにより送信された第２の指示情報を受信することは、前記端末デバイスが、前記ネットワークデバイスが許可不要の周波数帯上のキャリアで送信された前記第２の指示情報を受信することを含む。
【００３０】
実現可能な形態において、前記第２の指示情報は、ブロードキャストメッセージ又は無線リソース制御ＲＲＣシグナリングに搬送される。
【００３１】
実現可能な形態において、前記参照ＰＦのシステムフレーム番号SFNは、SFN mod T=（T/N）×（UE-ID mod N）を満たし、ここで、Tが１つのページング周期の時間長であり、UE-IDが前記端末デバイスのデバイス識別子であり、Nが１つのページング周期内に前記ページングメッセージの受信に使用可能なＰＦの数である。
【００３２】
実現可能な形態において、前記端末デバイスが前記ページング時間窓において、ネットワークデバイスにより送信されたページングメッセージをリッスンする前に、前記方法は、さらに、前記端末デバイスが前記ネットワークデバイスにより送信された第１の指示情報を受信し、前記第１の指示情報が前記Ｓ個の候補ＰＯとＳ個のＰ−ＲＮＴとのマッピング関係を示し、前記ネットワークデバイスは、各ＰＯに対応するＰ−ＲＮＴＩを利用して、前記各ＰＯにおいて前記第１のチャネルを送信することを含み、
【００３３】
ここで、前記端末デバイスが前記ページング時間窓において、ネットワークデバイスにより送信されたページングメッセージをリッスンすることは、前記端末デバイスが前記第１の指示情報に基づいて、前記ページング時間窓においてネットワークデバイスにより送信された前記ページングメッセージをリッスンすることを含む。
【００３４】
実現可能な形態において、前記端末デバイスが前記ネットワークデバイスにより送信された第１の指示情報を受信することは、前記端末デバイスが、前記ネットワークデバイスが許可の周波数帯上のキャリアで送信された前記第１の指示情報を受信することを含む。
【００３５】
実現可能な形態において、前記端末デバイスが前記ネットワークデバイスにより送信された第１の指示情報を受信することは、前記端末デバイスが、前記ネットワークデバイスが許可不要の周波数帯上のキャリアで送信された前記第１の指示情報を受信することを含む。
【００３６】
実現可能な形態において、前記第１の指示情報は、ブロードキャストメッセージ又は無線リソース制御ＲＲＣシグナリングに搬送される。
【００３７】
第３の態様は、上記第１の態様又は第１の態様の任意の代替的な実装態様における端末デバイスの動作を実行することができる端末デバイスを提供する。具体的には、端末デバイスは、上記の第１の態様又は第１の態様の任意の可能な実装態様における端末デバイスの動作を実行するためのモジュールユニットを含み得る。
【００３８】
第４の態様は、第２の態様又は第２の態様の任意の代替的な実装態様におけるネットワークデバイスの動作を実行することができるネットワークデバイスを提供する。具体的には、ネットワークデバイスは、上記の第２の態様または第２の態様の任意の可能な実装態様におけるネットワークデバイスの動作を実行するためのモジュールユニットを含み得る。
【００３９】
第５の態様は、プロセッサと、送受信機と、メモリとを具備する端末デバイスを提供する。プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、端末デバイスに、第１の態様または第１の態様の任意の可能な実装態様における方法を実行させるか、または、端末デバイスに、第３の態様で提供される端末デバイスを実装させる。
【００４０】
第６の態様は、プロセッサと、送受信機と、メモリとを備えるネットワークデバイスを提供する。ここで、プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、ネットワークデバイスに、第２の態様または第２の態様の任意の可能な実装態様における方法を実行させるか、または、ネットワークデバイスに、第４の態様によって提供されるネットワークデバイスを実装させる。
【００４１】
第７の態様は、端末デバイスに上記第１の態様及びその様々な実施態様のいずれかのページング方法を実行させるプログラムを記憶したコンピュータ可読記憶媒体を提供する。
【００４２】
第８の態様は、ネットワークデバイスに、上記第２の態様、及びその様々な実施態様のいずれか１つのページング方法を実行させるプログラムを記憶したコンピュータ可読記憶媒体を提供する。
【００４３】
第９の態様は、入力インターフェースと、出力インターフェースと、プロセッサと、メモリとを含むシステムオンチップを提供し、プロセッサは、メモリに記憶された命令を実行し、命令が実行されると、プロセッサは、第１の態様または第１の態様の任意の可能な実装態様における方法を実装し得る。
【００４４】
第１０の態様は、入力インターフェースと、出力インターフェースと、プロセッサと、メモリとを含むシステムオンチップを提供し、プロセッサは、メモリに記憶された命令を実行し、プロセッサは、命令が実行されたときに、第２の態様または第２の態様の任意の可能な実装態様における方法を実装し得る。
【００４５】
第１１の態様は、命令を含むコンピュータプログラム製品を提供し、コンピュータプログラム製品がコンピュータ上で実行されると、コンピュータに、第１の態様または第１の態様の任意の可能な実装態様における方法を実行させる。
【００４６】
第１２の態様は、命令を含むコンピュータプログラム製品を提供し、コンピュータプログラム製品は、コンピュータ上で実行されると、コンピュータに、第２の態様または第２の態様の任意の可能な実装態様における方法を実行させる。
【図面の簡単な説明】
【００４７】
【図１】本願の実施例における応用シーンの構成図である。
【図２】本願の実施例におけるページング方法のフローチャートである。
【図３】本願の他の実施例におけるページング方法のフローチャートである。
【図４】本願の実施例における端末デバイスのブロック図である。
【図５】本願の実施例におけるネットワークデバイスのブロック図である。
【図６】本願の実施例における通信デバイスの構成図である。
【図７】本願の実施例におけるシステムチップの構成図である。
【発明を実施するための形態】
【００４８】
以下、本願の実施の形態について図面を参照して説明する。
【００４９】
なお、本願の実施例の技術は、例えば、移動体通信システムＧＳＭ（Ｇｌｏｂａｌ Ｓｙｓｔｅｍ ｏｆ Ｍｏｂｉｌｅ Ｃｏｍｍｕｎｉｃａｔｉｏｎ）、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、ロングタームエボリューション( Ｌｏｎｇ Ｔｅｒｍ Ｅｖｏｌｕｔｉｏｎ、ＬＴＥ )システム、LTE周波数分割複信( Ｆｒｅｑｕｅｎｃｙ Ｄｉｖｉｓｉｏｎ Ｄｕｐｌｅｘ、ＦＤＤ )システム、LTE時分割複信( Ｔｉｍｅ  Ｄｉｖｉｓｉｏｎ  Ｄｕｐｌｅｘ、ＴＤＤ )、ユニバーサル移動体通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、将来の５Ｇ通信システム等の様々な通信システムに適用可能である。
【００５０】
本願は、端末デバイスに関連して様々な実施例を説明している。端末デバイスは、ユーザ装置( Ｕｓｅｒ Ｅｑｕｉｐｍｅｎｔ、ＵＥ )、アクセス端末、ユーザデバイス、ユーザ局、移動局、リモート端末、モバイル装置、ユーザ端末、無線通信デバイス、ユーザエージェント又はユーザ装置を指してもよい。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来の陸上公衆移動通信ネットワーク( Ｐｕｂｌｉｃ Ｌａｎｄ Ｍｏｂｉｌｅ Ｎｅｔｗｏｒｋ、ＰＬＭＮ )ネットワークにおける端末デバイスなどであり得る。
【００５１】
本願は、ネットワークデバイスに関連して様々な実施例を説明する。ネットワークデバイスは、端末デバイスと通信するための装置であってもよく、例えば、ＧＳＭシステムまたはＣＤＭＡ （ Ｂａｓｅ Ｔｒａｎｓｃｅｉｖｅｒ Ｓｔａｔｉｏｎ、ＢＴＳ )における基地局であってもよく、ＷＣＤＭＡ システムにおける基地局( ＮｏｄｅＢ、ＮＢ )であってもよく、ＬＴＥシステムにおける発展型基地局( Ｅｖｏｌｕｔｉｏｎａｌ Ｎｏｄｅ Ｂ、ｅＮＢ又はｅＮｏｄｅＢ )であってもよく、または、中継局、アクセスポイント、車載装置、ウェアラブル装置、および将来の５Ｇネットワークにおけるネットワーク側装置または将来の発展型ＰＬＭＮネットワークにおけるネットワーク側装置などであってもよい。
【００５２】
図１は、本願の実施例の応用シーンの概略図である。図１の通信システムは、ネットワークデバイス１０と端末デバイス２０とを含む。ネットワークデバイス１０は、端末デバイス２０に通信サービスを提供し、コアネットワークにアクセスするための装置であり、ネットワークデバイス１０から送信される同期信号やブロードキャスト信号等を検索することにより、端末デバイス２０がネットワークにアクセスし、ネットワークとの通信を行うことができる。図１に示される矢印は、端末デバイス２０とネットワークデバイス１０との間のセルラーリンクを介した上り/下りの送信を表すことができる。
【００５３】
本願の実施例におけるネットワークは、パブリック地上波モバイルネットワーク( Ｐｕｂｌｉｃ Ｌａｎｄ Ｍｏｂｉｌｅ Ｎｅｔｗｏｒｋ、ＰＬＭＮ )またはデバイスツーデバイス( Ｄｅｖｉｃｅ ｔｏ Ｄｅｖｉｃｅ、Ｄ２Ｄ )ネットワークまたはマシンツーロボット( Ｍａｃｈｉｎｅ ｔｏ Ｍａｃｈｉｎｅ / Ｍａｎ、Ｍ２Ｍ )ネットワークまたは他のネットワークを指すことができ、図１は、単なる例示的な簡略図であり、ネットワークには、他の端末デバイスも含まれてよく、図１には示されていない。
【００５４】
端末デバイスの下りデータが到着すると、ネットワークデバイスは、端末デバイスに対するページングにより、端末デバイスからネットワークデバイスへのシグナリング接続を確立し、下りデータの伝送を行うことができる。
【００５５】
図２に示される方法は、例えば、図１に示されるネットワークデバイス１０であり得るネットワークデバイスによって実行され得る。図２に示すように、ページング方法は、以下のステップを含む。
【００５６】
２１０において、ネットワークデバイスが端末デバイスをページングするためのページング時間窓を決定し、該ページング時間窓がＳ個の候補ページング時刻ＰＯを含み、ここで、Ｓが１以上の正の整数である。
【００５７】
ここで、任意選択で、ネットワークデバイスは、Ｓの値を端末デバイスに通知してもよいし、ネットワークデバイスと端末デバイスとが予め約定されるより合意して端末デバイスに記憶しておいてもよい。
【００５８】
任意選択で、１つのＰＯが１つのスロットであってもよい。例えば、５Ｇシステムでは、１つのスロットが１４つのシンボルを含み、１つのＰＯが１４つのシンボルを含む。
【００５９】
２２０において、該ネットワークデバイスが該ページング時間窓に基づいて、許可不要の周波数帯上のキャリアが空いているかどうかをリッスンする。
【００６０】
具体的には、ネットワークデバイスは、１つのページング時間窓内で許可不要の周波数帯上のキャリアが空っているかどうかをリッスンし、このページング時間窓内のあるＰＯのキャリアが空っている場合、ネットワークデバイスは、このＰＯ上で端末デバイスにページングを行うことができる。このページング時間窓は、Ｓ個の候補ＰＯを含み、Ｓは１より大きい正の整数であるので、ネットワークデバイスは、リッスンするとき、１つのＰＯだけでなく１つのページング時間窓でリッスンを行うので、ネットワークデバイスは、１つのページング周期中に複数のページングメッセージの送信機会を有することができ、許可不要の周波数帯でのページングを行うとき、ページングメッセージの送信遅延を大幅に低減することができる。
【００６１】
任意選択で、２２０の後、該方法は、さらに、該ネットワークデバイスがリッスン結果に基づいて、該ページング時間窓のあるＰＯにおいて、該端末デバイスをページングすることを含む。
【００６２】
なお、ネットワークデバイスは、ページング時間窓に基づいて、リッスン許可不要の周波数帯上のキャリアが空っているかどうかをリッスンし、ページング時間窓内のあるＰＯが空であることをリッスンした場合、このＰＯ上で端末デバイスにページングを行うことができ、ページング時間窓内で空っているＰＯをリッスンしなかった場合、例えば、次のページング周期内のページング時間窓内でリッスンし、空っているＰＯリッスンしてから端末デバイスをページングする。
【００６３】
本願の実施例は、ページング時間窓の２つの決定方式を提供し、以下は説明する。
【００６４】
方式１
任意選択で、２１０において、該ネットワークデバイスが端末デバイスをページングするためのページング時間窓を決定することは、該ネットワークデバイスが該端末デバイスをページングするための参照ＰＦから、参照ＰＯを決定し、該ネットワークデバイスは、該参照ＰＯ、及び該参照ＰＯの前のＭ１個のＰＯ及び／又は該参照ＰＯの後のＭ２個のＰＯを該ページング時間窓として決定することを含む。
【００６５】
ここで、Ｍ１とＭ２は正の整数であり、Ｍ１とＭ２は等しくても等しくなくてもよい。また、Ｍ１及び/又はＭ２の値は、ネットワークデバイスから端末デバイスに設定されてもよいし、Ｍ１及び/又はＭ２の値は、例えば、約定によりネットワークデバイスと端末デバイスとが予め約定して端末デバイスに記憶されていてもよい。
【００６６】
参照ＰＦには、ページングを実行するための時間位置が参照ＰＯだけでなく、このページング時間窓内のＳ個の候補ＰＯも含まれ、ページングを実行するための時間位置がこの参照ＰＯに基づいて拡張されるので、ページング時間窓内に参照ＰＯが含まれ、また、参照ＰＯの前のＭ１個のＰＯ及び/又は参照ＰＯの後のＭ２個のＰＯが含まれる。例えば、このＳ個の候補ＰＯは、参照ＰＯとこの参照ＰＯの前のＭ１個の連続するＰＯ、又は、参照ＰＯとこの参照ＰＯの後のＭ２個の連続するＰＯ、又は参照ＰＯとこの参照ＰＯの前のＭ１個の連続するＰＯと参照ＰＯの後のＭ２個の連続するＰＯを含む。
【００６７】
2021513767.tif 000005
【００６８】
ここで、任意選択で、該参照ＰＦのシステムフレーム番号SFNは、SFN mod T=（T/N）×（UE-ID mod N）を満たし、ここで、Tが１つのページング周期の時間長であり、UE-IDが該端末デバイスのデバイス識別子であり、Nが１つのページング周期に該ページングメッセージの受信する可能なＰＦの数である。
【００６９】
具体的には、ＰＦは、特定の無線フレーム又はシステムフレームであり、その中に１又は複数のＰＯが含まれてもよい。端末デバイスは、そのページング期間内のＰＦ内のあるＰＯにおいてページングメッセージの受信を試みることができる。ＰＯ上で、ページング無線ネットワーク一時識別子( Ｐａｇｉｎｇ Ｒａｄｉｏ Ｎｅｔｗｏｒｋ Ｔｅｍｐｏｒｙ Ｉｄｅｎｔｉｔｙ、Ｐ−ＲＮＴＩ )を使用してスクランブルされ、ページングメッセージを示す物理下りリンク制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )が伝送される可能性がある。端末デバイスは、ページング周期毎に１個のＰＯを検出すればよい。すなわち、各端末デバイスにおいて、各ページング周期内に１サブフレームのみがページングメッセージの送信に用い、ＰＦは、このページングメッセージを送信するシステムフレームであり、ＰＯは、ＰＦにおいてページングメッセージを送信するサブフレームである。本願の実施例では、システムフレーム番号がSFN mod T=( T / N )×( UE-ID mod N )を満たすＰＦを、参照ＰＦと呼ぶ。
【００７０】
SFN mod T=( T / N )×( UE-ID１ mod N )において、T / Nは、各DRX周期TをN個の部分に分割することに相当し、各部分は、T / N個の無線フレームを含み、ここで、ＰＦは、T / N個の無線フレームのうちの最初の無線フレームである。従って、Nは、DRX周期毎にページングメッセージの受信に利用可能なＰＦの数と考えることができる。Nは、N=min ( T，nB )によって決定されることができ、ここで、nBは、システム情報ブロック( Ｓｙｓｔｅｍ Ｉｎｆｏｒｍａｔｉｏｎ Ｂｌｏｃｋ，ＳＩＢ )によって構成されることができ、例えば、４T、２T、T、T / ２、T / ４、T / ８などに等しくなり得る。
【００７１】
UE-ID mod Nは、端末デバイスがこのN部の中のUE-ID mod N部( ０≦UE ID mod N＜N )を選ぶことを示し、ネットワークデバイスがこのN部の中のどれを選ぶかは、当該端末デバイスのデバイス識別子UE-IDによって決定されることが分かる。端末デバイスのデバイス識別子UE-IDは、UE ID=IMSI mod1204などの端末デバイスの国際モバイル加入者識別番号( Ｉｎｔｅｒｎａｔｉｏｎａｌ Ｍｏｂｉｌｅ Ｓｕｂｓｃｒｉｂｅｒ Ｉｄｅｎｔｉｔｙ、ＩＭＳＩ )によって決定され得る。端末デバイスは、このN部のうちUE-ID mod N部目を選択すると、このUE-ID mod N部に含まれるＰＦを使用し、このとき、このＰＦのシステムフレーム番号SFNはSFN mod T=( T / N )×( UE-ID１ mod N )により決定することができる。
【００７２】
参照ＰＦが決定された後、ネットワークデバイスは、該参照ＰＦから参照ＰＯを決定することができる。
【００７３】
2021513767.tif 000006
【００７４】
【表１】
2021513767.tif 000007
【００７５】
【表２】
2021513767.tif 000008
【００７６】
方式２
任意選択で、２１０において、該ネットワークデバイスが端末デバイスをページングするためのページング時間位置を決定することは、該ネットワークデバイスが少なくとも１つの無線フレームから、Ｓ個のＰＯを該ページング時間窓として選定し、ここで、該少なくとも１つの無線フレームが参照ＰＦを含み、又は、該少なくとも１つの無線フレームが該参照ＰＦ、及び該参照ＰＦの前のＫ１個の無線フレーム及び／又は該参照ＰＦの後のＫ２個の無線フレームを含む。
【００７７】
ここで、Ｋ１とＫ２は正の整数であり、かつＫ１とＫ２は等しくても等しくなくてもよい。また、Ｋ１及び/又はＫ２の値は、ネットワークデバイスから端末デバイスに設定されてもよいし、Ｋ１及び/又はＫ２の値は、ネットワークデバイスと端末デバイスとが、例えば約定により合意しておき、端末デバイスに記憶されていてもよい。
【００７８】
この実施例において、ネットワークデバイスは、該参照ＰＦからＳ個の連続するＰＯをページング時間窓として選定しても良く、又は、参照ＰＦ及び参照ＰＦの前のＫ１個の無線フレームから、Ｓ個の連続するＰＯをページング時間窓として選定しても良く、又は、参照ＰＦ及び参照ＰＦの後のＫ２個の無線フレームからＳ個の連続するＰＯをページング時間窓として選定しても良く、又は、参照ＰＦ、参照ＰＦの前のＫ１個の無線フレーム及び参照ＰＦの後のＫ２個の無線フレームからＳ個のＰＯをページング時間窓として選定してもよい。
【００７９】
ここで、参照ＰＦの決定過程は、例えば、方式１に関連する記載を参照しても良く、簡潔ため、ここで説明を省略する。
【００８０】
任意選択で、該方法は、さらに、該ネットワークデバイスが該端末デバイスに第２の指示情報を送信することを含み、該第２の指示情報は、該Ｓ個のＰＯの位置を示す。
【００８１】
例えば、ネットワークデバイスが、該Ｓの値及び／又はＳ個のＰＯの該少なくとも１つの無線フレーム（参照ＰＦ、又は、参照ＰＦ、及び参照ＰＦの前のＫ１個の無線フレーム及び／又は該参照ＰＦの後のＫ２個の無線フレーム）の相対的な位置を端末デバイスに示し、又は、Ｓの値及び／又はＳ個のＰＯの該少なくとも１つの無線フレームの相対的な位置は、ネットワークデバイスと端末デバイスとがプロトコルで予め予定し、端末デバイスに記憶される。
【００８２】
任意選択で、該ネットワークデバイスが該端末デバイスに第２の指示情報を送信することは、該ネットワークデバイスが許可の周波数帯上のキャリアで該第２の指示情報を送信することを含む。
【００８３】
任意選択で、該ネットワークデバイスが該端末デバイスに第２の指示情報を送信することは、該ネットワークデバイスが許可不要の周波数帯上のキャリアで該第２の指示情報を送信することを含む。
【００８４】
任意選択で、該第２の指示情報は、ブロードキャストメッセージ又はＲＲＣシグナリングに搬送される。
【００８５】
ネットワークデバイスは、ページング時間窓を決定した後、該ページング時間窓に基づいて許可不要の周波数帯でリッスンし、リッスン結果に基づいてページング時間窓のＳ個の候補ＰＯのうちのＰＯにおいて端末デバイスをページングする。
【００８６】
任意選択で、２３０において、該ネットワークデバイスがリッスン結果に基づいて該ページング時間窓のＰＯに該端末デバイスをページングすることは、該ネットワークデバイスがリッスン結果に基づいて、該ページング時間窓の該ＰＯにおいて、ページングメッセージが搬送される第１のチャネルを該端末デバイスに送信することを含み、ここで、該第１のチャネルは、制御チャネル及び／又はデータチャネルを含む。
【００８７】
例えば、このＰＯは、物理下り共有チャネル( Ｐｈｙｓｉｃａｌ Ｄｏｗｎｌｉｎｋ Ｓｈａｒｅｄ Ｃｈａｎｎｅｌ、ＰＤＳＣＨ )及び/又は物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )を送信するために使用され得る。
【００８８】
ここで、ＰＯがＰＤＳＣＨ及びＰＤＣＣＨを送信するために使用される場合、ＰＤＳＣＨとＰＤＣＣＨは同じ時間位置(同じシンボルを占有する)で送信されることができ、その場合、ＰＤＳＣＨとＰＤＣＣＨは周波数分割多重されることができる。
【００８９】
又は、ＰＯがＰＤＳＣＨおよびＰＤＣＣＨを送信するために使用される場合、ＰＤＳＣＨは、ＰＤＣＣＨが異なる時間位置で送信され得る。例えば、ＰＤＣＣＨはマルチビームを介して先に送信され、次に、ＰＤＳＣＨはマルチビームを介して送信され得る。例えば、ＰＤＣＣＨまたはＰＤＳＣＨは、同じまたは異なるビームによって異なるシンボル上でそれぞれ１回送信され、次いで、同じまたは異なるビームが再び利用され、ＰＤＣＣＨおよびＰＤＳＣＨは、それぞれ別の異なるシンボル上で１回送信されることができ、以下同様である。
【００９０】
さらに、任意選択で、該ネットワークデバイスがリッスン結果に基づいて、該ページング時間窓の該のＰＯにページングメッセージが搬送される第１のチャネルを該端末デバイスに送信することは、該ネットワークデバイスが該ＰＯの該ページング時間窓での位置に基づいて、該第１のチャネルを送信するためのＰ−ＲＮＴＩを決定し、該ネットワークデバイスが該Ｐ−ＲＮＴＩを使用して、該ページング時間窓の該ＰＯにおいて、該端末デバイスに該第１のチャネルを送信することを含む。
【００９１】
任意選択で、該Ｓ個の候補ＰＯがＳ個のＰ−ＲＮＴＩに一対一対応し、該ネットワークデバイスは、各ＰＯに対応するＰ−ＲＮＴＩを利用して該各ＰＯに該第１のチャネルを送信する。
【００９２】
異なるＰＯ上で送信されるページングメッセージ間の相互影響を回避するために、異なるＰ−ＲＮＴＩを用いて異なるＰＯ上で送信されるページングメッセージをスクランブルすることができる。
【００９３】
例えば、参照ＰＦにおいて、ネットワークデバイスが１つの端末デバイスをページングするために使用するページング時間窓が第１〜第３のＰＯを含む場合、もしこのとき、他の端末デバイスのデバイス識別子に基づいて決定されたＰＯもこの第３のＰＯである場合、すなわち、この第３のＰＯは、他の端末デバイスをページングするためにも使用される必要がある場合、この第３のＰＯにおいて、ネットワークデバイスは、２つの異なる端末デバイスにそれぞれページングメッセージを含む制御チャネルおよび/またはデータチャネルを送信する必要があるので、２つのチャネルの間で相互影響があり、干渉が生じ得る。
【００９４】
したがって、Ｓ個の候補ＰＯは、Ｓ個の異なるＰ−ＲＮＴＩと１対１に対応させることができ、ネットワークデバイスは、リッスン結果から、Ｓ個の候補ＰＯのうちのあるＰＯでページングが行われると決定すると、そのＰＯに対応するＰ−ＲＮＴＩを用いて、ページングメッセージが搬送される制御チャネル及び/又はデータチャネルをスクランブルすることができる。Ｓ個の候補ＰＯのうち、ページングメッセージを送信するために選択されたＰＯが異なる場合、該ページングメッセージが搬送される該第１のチャネルをスクランブルするために使用されるＰ−ＲＮＴＩも異なる。
【００９５】
例えば、Ｓ個の候補ＰＯの中に、参照ＰＯと、参照ＰＯの後の２個のＰＯとが含まれ、参照ＰＯが参照ＰＦのn番目のＰＯであると仮定し、ネットワークデバイスが参照ＰＯでページングメッセージを送信するために使用するＰ−ＲＮＴＩが第１のＰ−ＲＮＴＩである場合、ネットワークデバイスは、n＋１番目のＰＯでページングメッセージを送信するために使用するＰ−ＲＮＴＩが第２のＰ−ＲＮＴＩであり、n＋２番目のＰＯでページングメッセージを送信するために使用するＰ−ＲＮＴＩが第３のＰ−ＲＮＴＩである。第１のＰ−ＲＮＴ、第２のＰ−ＲＮＴ、及び第３のＰ−ＲＮＴは、いずれも同一ではない。ネットワークデバイスが異なるＰＯでページングメッセージを送信するために使用するＰ−ＲＮＴＩは、それぞれ異なる。
【００９６】
任意選択で、該方法は、さらに、該ネットワークデバイスが該端末デバイスに第１の指示情報を送信することを含み、該第１の指示情報は、該Ｓ個のＰＯと該Ｓ個のＰ−ＲＮＴＩとのマッピング関係を示す。
【００９７】
任意選択で、該ネットワークデバイスが該端末デバイスに第１の指示情報を送信することは、該ネットワークデバイスが許可の周波数帯上のキャリアで該第１の指示情報を送信することを含む。
【００９８】
任意選択で、該ネットワークデバイスが該端末デバイスに第１の指示情報を送信することは、該ネットワークデバイスが許可不要の周波数帯上のキャリアで該第１の指示情報を送信することを含む。
【００９９】
任意選択で、該第１の指示情報は、ブロードキャストメッセージ又は無線リソース制御（Ｒａｄｉｏ Ｒｅｓｏｕｒｃｅ Ｃｏｎｔｒｏｌ、ＲＲＣ）シグナリングに搬送される。
【０１００】
図３は本願の実施例におけるページング方法のフローチャートである。図３に示す方法が端末デバイスにより実行され、該端末デバイスは、例えば、図１に示す端末デバイス２０であっても良い。図３に示すように、該ページング方法は以下のステップを含む。
【０１０１】
３１０において、端末デバイスが、ネットワークデバイスが端末デバイスをページングするためのページング時間窓を決定し、該ページング時間窓がＳ個の候補ページング時刻ＰＯを含み、Ｓが１以上の正の整数である。
【０１０２】
３２０において、該端末デバイスが該ページング時間窓において、ネットワークデバイスにより送信されたページングメッセージをリッスンする。
【０１０３】
このように、本願の実施例では、ネットワークデバイス及び端末デバイスが許可不要の周波数帯でリッスンする際に、１つのＰＯのみでなく、１つページング時間窓でリッスンするため、ネットワークデバイスは１つのページング周期内に複数のページングメッセージの送信機会を有することができ、許可不要の周波数帯でページングする際のページングメッセージの送信遅延を大幅に低減することができる。
【０１０４】
任意選択で、該端末デバイスが、ネットワークデバイスが端末デバイスをページングするためのページング時間窓を決定することは、該端末デバイスが、該ネットワークデバイスが該端末デバイスをページングするために使用される参照ページングフレームＰＦから、参照ＰＯを決定し、該端末デバイスが該参照ＰＯ、及び該参照ＰＯの前のＭ１個のＰＯ及び／又は該参照ＰＯの後のＭ２個のＰＯを、該ページング時間窓とし決定することを含み、Ｍ１とＭ２とが正の整数である。
【０１０５】
2021513767.tif 000009
【０１０６】
任意選択で、該端末デバイスが、ネットワークデバイスが端末デバイスをページングするためのページング時間窓を決定することは、該端末デバイスが少なくとも１つの無線フレームから、Ｓ個のＰＯを該ページング時間窓として選定することを含み、ここで、該少なくとも１つの無線フレームが参照ＰＦを含み、又は、該少なくとも１つの無線フレームが該参照ＰＦ、及び該参照ＰＦの前のＫ１個の無線フレーム及び／又は該参照ＰＦの後のＫ２個の無線フレームを含み、ここで、Ｋ１とＫ２とが正の整数である。
【０１０７】
任意選択で、該端末デバイスが少なくとも１つの無線フレームからＳ個のＰＯを該ページング時間窓として選定することは、該端末デバイスが該ネットワークデバイスにより送信された第２の指示情報を受信することを含み、該第２の指示情報が該Ｓ個のＰＯの位置を示し、又は、該端末デバイスが該端末デバイスに予め記憶された該Ｓ個のＰＯの位置情報を取得する。
【０１０８】
任意選択で、該端末デバイスが該ネットワークデバイスにより送信された第２の指示情報を受信することは、該端末デバイスが、該ネットワークデバイスが許可の周波数帯上のキャリアで送信した該第２の指示情報を受信することを含む。
【０１０９】
任意選択で、該端末デバイスが該ネットワークデバイスにより送信された第２の指示情報を受信することは、該端末デバイスが、該ネットワークデバイスが許可不要の周波数帯上のキャリアで送信した該第２の指示情報を受信することを含む。
【０１１０】
任意選択で、該第２の指示情報は、ブロードキャストメッセージ又は無線リソース制御ＲＲＣシグナリングに搬送される。
【０１１１】
任意選択で、該参照ＰＦのシステムフレーム番号SFNは、SFN mod T=（T/N）×（UE-ID mod N）を満たし、ここで、Tが１つのページング周期の時間長であり、UE-IDが該端末デバイスのデバイス識別子であり、Nが１つのページングに該ページングメッセージを受信する可能なＰＦの数である。
【０１１２】
任意選択で、該端末デバイスが該ページング時間窓においてネットワークデバイスにより送信されたページングメッセージをリッスンする前に、該方法は、さらに、該端末デバイスが該ネットワークデバイスにより送信された第１の指示情報を受信することを含み、該第１の指示情報は、該Ｓ個の候補ＰＯとＳ個のＰ−ＲＮＴＩとのマッピング関係を示し、該ネットワークデバイスは、各ＰＯに対応するＰ−ＲＮＴＩを利用して、該各ＰＯにおいて該第１のチャネルを送信することを含み、
【０１１３】
ここで、該端末デバイスが該ページング時間窓においてネットワークデバイスにより送信されたページングメッセージをリッスンすることは、該端末デバイスが該第１の指示情報に基づいて、該ページング時間窓においてネットワークデバイスにより送信された該ページングメッセージをリッスンすることを含む。
【０１１４】
任意選択で、該端末デバイスが該ネットワークデバイスにより送信された第１の指示情報を受信することは、該端末デバイスが、該ネットワークデバイスが許可の周波数帯上のキャリアで送信された該第１の指示情報を受信することを含む。
【０１１５】
任意選択で、該端末デバイスが該ネットワークデバイスにより送信された第１の指示情報を受信することは、該端末デバイスが該ネットワークデバイスが許可不要の周波数帯上のキャリアで送信された該第１の指示情報を受信することを含む。
【０１１６】
任意選択で、該第１の指示情報は、ブロードキャストメッセージ又は無線リソース制御ＲＲＣシグナリングに搬送される。
【０１１７】
なお、端末デバイスがネットワークデバイスによって送信されたページングメッセージをリッスンする具体的なプロセスは、簡潔にするために、前述の図２におけるネットワークデバイスの関連説明を参照してもよく、ここでは詳しい説明を省略する。
【０１１８】
また、本願の様々な実施例において、上述のプロセスの順序の大きさは、実行順序の前後を意味するものではなく、各プロセスの実行順序は、その機能及び内部ロジックにおいて決定されるべきであり、本願の実施例のプロセスを何ら限定するものではないことを理解されたい
【０１１９】
本願の実施例によるデータ再送信の方法が、上記で詳細に説明され、以下のデバイスの実施例に適用される本願の実施例によるデバイスが、図４〜図７を参照して説明される。
【０１２０】
図４は本願の実施例におけるネットワークデバイス４００のブロック図である。図４に示すように、該ネットワークデバイス４００は、決定ユニット４１０及びリッスンユニット４２０を含む。ここで、
【０１２１】
決定ユニット４１０は、端末デバイスをページングするためのページング時間窓を決定するように構成され、前記ページング時間窓がＳ個の候補ページング時刻ＰＯを含み、Ｓが１以上の正の整数であり、
【０１２２】
リッスンユニット４２０は、前記決定ユニット４１０が決定した前記ページング時間窓に基づいて、許可不要の周波数帯上のキャリアが空いてるかどうかをリッスンするように構成される。
【０１２３】
このように、本願の実施例では、ネットワークデバイス及び端末デバイスが許可不要の周波数帯でリッスンする際に、１つのＰＯのみでなく、１つページング時間窓でリッスンするため、ネットワークデバイスは１つのページング周期内に複数のページングメッセージの送信機会を有することができ、許可不要の周波数帯でページングする際のページングメッセージの送信遅延を大幅に低減することができる。
【０１２４】
任意選択で、前記ネットワークデバイスが送信ユニットをさらに含み、送信ユニットは、前記リッスンユニット４２０のリッスン結果に基づいて、前記ページング時間窓のあるＰＯにおいて、前記端末デバイスをページングするように構成され、
【０１２５】
任意選択で、前記決定ユニット４１０は、具体的に、前記端末デバイスをページングするための参照ページングフレームＰＦから、参照ＰＯを決定し、前記参照ＰＯ、及び前記参照ＰＯの前のＭ１個のＰＯ及び／又は前記参照ＰＯの後のＭ２個のＰＯを前記ページング時間窓として決定するように構成され、Ｍ１とＭ２とが正の整数である。
【０１２６】
2021513767.tif 000010
【０１２７】
任意選択で、前記決定ユニット４１０は、具体的に少なくとも１つの無線フレームから、Ｓ個のＰＯを前記ページング時間窓として選定するように構成され、ここで、前記少なくとも１つの無線フレームが参照ＰＦを含み、又は、前記少なくとも１つの無線フレームが前記参照ＰＦ及び前記参照ＰＦの前のＫ１個の無線フレーム及び／又は前記参照ＰＦの後のＫ２個の無線フレームを含み、ここで、Ｋ１とＫ２とが正の整数である。
【０１２８】
任意選択で、前記送信ユニットは、さらに、前記端末デバイスに第２の指示情報を送信するように構成され、前記第２の指示情報が前記Ｓ個のＰＯの位置を示す。
【０１２９】
任意選択で、前記参照ＰＦのシステムフレーム番号SFNは、SFN mod T=（T/N）×（UE-ID mod N）を満たし、ここで、Tが１つのページング周期の時間長であり、UE-IDが前記端末デバイスのデバイス識別子であり、Nが１つのページング周期内に前記ページングメッセージの受信に使用可能なＰＦの数である。
【０１３０】
任意選択で、前記送信ユニットは、具体的に、リッスン結果に基づいて、前記ページング時間窓の前記ＰＯにおいて、ページングメッセージが搬送される第１のチャネルを前記端末デバイスに送信するように構成され、前記第１のチャネルが制御チャネル及び／又はデータチャネルを含む。
【０１３１】
任意選択で、前記決定ユニット４１０は、さらに、前記ＰＯの前記ページング時間窓の位置に基づいて、前記第１のチャネルを送信するためのページング無線ネットワーク一時識別子Ｐ−ＲＮＴＩを決定するように構成され、
【０１３２】
前記送信ユニットは、具体的に、前記Ｐ−ＲＮＴＩを利用して、前記ページング時間窓の前記ＰＯにおいて、前記端末デバイスに前記第１のチャネルを送信するように構成される。
【０１３３】
任意選択で、前記Ｓ個の候補ＰＯがＳ個のＰ−ＲＮＴＩに一対一対応し、前記ネットワークデバイスは、各ＰＯに対応するＰ−ＲＮＴＩを利用して、前記各ＰＯにおいて前記第１のチャネルを送信する。
【０１３４】
任意選択で、前記送信ユニットは、具体的に、前記端末デバイスに第１の指示情報を送信するように構成され、前記第１の指示情報は、前記Ｓ個の候補ＰＯと前記Ｓ個のＰ−ＲＮＴＩとのマッピング関係を示す。
【０１３５】
なお、ネットワークデバイス４００は、方法２００におけるネットワークデバイスに対応してもよく、方法２００におけるネットワークデバイス実装の動作は、簡潔にするために、ここで説明を省略する。
【０１３６】
図５は本願の実施例における端末デバイス５００のブロック図である。図５に示すように、該端末デバイス５００は、決定ユニット５１０及びリッスンユニット５２０を含む。ここで、
【０１３７】
決定ユニット５１０は、ネットワークデバイスが端末デバイスをページングするためのページング時間窓を決定するように構成され、前記ページング時間窓がＳ個の候補ページング時刻ＰＯを含み、Ｓが１以上の正の整数である、
【０１３８】
リッスンユニット５２０は、前記決定ユニット５１０が決定した前記ページング時間窓において、ネットワークデバイスにより送信されたページングメッセージをリッスンするように構成される。
【０１３９】
このように、本願の実施例では、ネットワークデバイス及び端末デバイスが許可不要の周波数帯でリッスンする際に、１つのＰＯのみでなく、１つページング時間窓でリッスンするため、ネットワークデバイスは１つのページング周期内に複数のページングメッセージの送信機会を有することができ、許可不要の周波数帯でページングする際のページングメッセージの送信遅延を大幅に低減することができる。
【０１４０】
任意選択で、前記決定ユニット５１０は、具体的に、前記ネットワークデバイスが前記端末デバイスをページングするための参照ページングフレームＰＦから、参照ＰＯを決定し、前記参照ＰＯ、及び前記参照ＰＯの前のＭ１個のＰＯ及び／又は前記参照ＰＯの後のＭ２個のＰＯを、前記ページング時間窓として決定し、Ｍ１とＭ２とが正の整数である。
【０１４１】
2021513767.tif 000011
【０１４２】
任意選択で、前記決定ユニット５１０は、具体的に、少なくとも１つの無線フレームから、Ｓ個のＰＯを前記ページング時間窓として選定するように構成され、ここで、前記少なくとも１つの無線フレームが参照ＰＦを含み、又は、前記少なくとも１つの無線フレームが前記参照ＰＦ及び前記参照ＰＦの前のＫ１個の無線フレーム及び／又は前記参照ＰＦの後のＫ２個の無線フレームを含み、ここで、Ｋ１とＫ２とが正の整数である。
【０１４３】
任意選択で、前記決定ユニット５１０は、具体的に、前記受信ユニットで前記ネットワークデバイスにより送信された第２の指示情報を受信するように構成され、前記第２の指示情報が前記Ｓ個のＰＯの位置を示し、又は、前記端末デバイスに予め記憶された前記Ｓ個のＰＯの位置情報を取得する。
【０１４４】
任意選択で、前記参照ＰＦのシステムフレーム番号SFNは、SFN mod T=（T/N）×（UE-ID mod N）を満たし、ここで、Tが１つのページング周期の時間長であり、UE-IDが前記端末デバイスのデバイス識別子であり、Nが１つのページング周期内に前記ページングメッセージの受信に使用可能なＰＦの数である。
【０１４５】
任意選択で、前記端末デバイスがさらに受信ユニットを含み、受信ユニットは、前記ネットワークデバイスにより送信された第１の指示情報を受信するように構成され、前記第１の指示情報が前記Ｓ個の候補ＰＯとＳ個のＰ−ＲＮＴとのマッピング関係を示し、前記ネットワークデバイスは、各ＰＯに対応するＰ−ＲＮＴＩを利用して、前記各ＰＯにおいて前記第１のチャネルを送信し、
【０１４６】
ここで、前記リッスンユニット５２０は、具体的に、前記第１の指示情報に基づいて、前記ページング時間窓においてネットワークデバイスにより送信された前記ページングメッセージをリッスンするように構成される。
【０１４７】
なお、この端末デバイス５００は、方法３００における端末デバイスに対応してもよく、この方法３００における端末デバイスによって実施される動作は、簡潔のためにここで説明を省略する。
【０１４８】
図６は、本願の実施例に係る通信デバイス６００の概略構成図である。図６に示すように、通信デバイスは、プロセッサ６１０、送受信機６２０、及びメモリ６３０を備え、プロセッサ６１０、送受信機６２０、及びメモリ６３０は、内部接続経路を介して互いに通信する。メモリ６３０は、命令を記憶するために使用され、プロセッサ６１０は、送受信機６２０を制御して信号を受信または送信するためにメモリ６３０によって記憶された命令を実行するために使用される。
【０１４９】
任意選択で、プロセッサ６１０は、メモリ６３０に記憶されたプログラムコードを呼び出して、方法の実施例におけるネットワークデバイスによって実行される方法２００の対応する動作を実行してもよく、ここで説明を省略する。
【０１５０】
任意選択で、プロセッサ６１０は、メモリ６３０に記憶されたプログラムコードを呼び出して、方法の実施例における端末デバイスによって実行される方法３００の対応する動作を実行してもよく、簡潔にするために、ここでは詳しい説明を省略する。
【０１５１】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１５２】
本願の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ，ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ  Ｒａｍｂｕｓ  ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１５３】
図７は、本願の実施例におけるシステムチップの概略構成図である。図７のシステムチップ７００は、入力インターフェース７０１、出力インターフェース７０２、少なくとも１つのプロセッサ７０３、及びメモリ７０４を含み、前記入力インターフェース７０１、出力インターフェース７０２、前記プロセッサ７０３、及びメモリ７０４の間は、内部接続経路によって相互接続される。プロセッサ７０３は、メモリ７０４内でコードを実行するために使用される。
【０１５４】
任意選択で、コードが実行されると、プロセッサ７０３は、方法の実施例においてネットワークデバイスによって実行される方法２００を実施してもよい。簡潔にするために、ここで説明を省略する。
【０１５５】
任意選択で、コードが実行されると、プロセッサ７０３は、方法の実施例において端末デバイスによって実行される方法３００を実施してもよい。簡潔にするために、ここで説明を省略する。
【０１５６】
なお、本願の実施の形態において、「Ａに対応するＢ」とは、ＡにＢが対応付けられていることを意味し、Ａに応じてＢが決定されてもよい。ＡからＢを決定することは、ＡのみからＢを決定することを意味するのではなく、Ａおよび/または他の情報からＢを決定することもできることをさらに理解されたい。
【０１５７】
また、本明細書における「及び/又は」という用語は、単に関連オブジェクトを記述する関連関係の１つであり、Ａ及び/又はＢのような３つの関係が存在し得ることを意味し、Ａのみ、ＡとＢの両方、Ｂのみの３つの場合が存在し得ることを意味する。なお、本文中の「/」の文字は、前後の関連オブジェクトが一種の「または」の関係であることを一般的に示す。
【０１５８】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１５９】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１６０】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１６１】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１６２】
また、本願の各実施例における各機能部は、一つの監視ユニットに集積されてもよく、各ユニットが物理的に別個に存在してもよく、二つ以上のユニットが一つのユニットに集積されてもよい。
【０１６３】
また、ソフトウェア的な機能単位で実現され、独立した製品として販売又は使用される場合には、コンピュータ読み取り可能な記録媒体に格納されてもよい。このような理解に基づいて、本願の技術的解決策の本質または従来技術に寄与する部分、または本願の技術的解決策の部分は、１つのコンピュータデバイス(パーソナルコンピュータ、サーバ、またはネットワークデバイスなどであり得る)に本願の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１６４】
以上、本願の具体的な実施例を説明したが、本願の技術的範囲はこれに限定されるものではなく、本願が属する技術分野で通常の知識を有する者であれば、本願の技術的範囲内で容易に変更や置換をなし得ることは勿論である。したがって、本願の保護範囲は、特許請求の範囲によって定義されるべきである。
【図１】
2021513767.tif 000016
【図２】
2021513767.tif 000017
【図３】
2021513767.tif 000018
【図４】
2021513767.tif 000019
【図５】
2021513767.tif 000020
【図６】
2021513767.tif 000021
【図７】
2021513767.tif 000022
【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
ネットワークデバイスが端末デバイスをページングするためのページング時間窓を決定することと、
前記ネットワークデバイスが前記ページング時間窓に基づいて、許可不要の周波数帯上のキャリアが空いてるかどうかをリッスンすることとを含み、
前記ページング時間窓がＳ個の候補ページング時刻ＰＯを含み、Ｓが１以上の正の整数である
ことを特徴とするページング方法。
【請求項２】
前記方法は、さらに、
前記ネットワークデバイスがリッスン結果に基づいて、前記ページング時間窓のＰＯに前記端末デバイスをページングすることを含む
ことを特徴とする請求項１に記載のページング方法。
【請求項３】
前記ネットワークデバイスが端末デバイスをページングするためのページング時間窓を決定することは、
前記ネットワークデバイスが前記端末デバイスをページングするための参照ページングフレームＰＦにおいて、参照ＰＯを決定することと、
前記ネットワークデバイスが前記参照ＰＯ及び前記参照ＰＯの前のＭ１個のＰＯ及び／又は前記参照ＰＯの後のＭ２個のＰＯを前記ページング時間窓として決定することとを含み、Ｍ１とＭ２とが正の整数である
ことを特徴とする請求項１又は２に記載のページング方法。
【請求項４】
2021513767.tif 000023
【請求項５】
前記ネットワークデバイスが端末デバイスをページングするためのページング時間位置を決定することは、
前記ネットワークデバイスが少なくとも１つの無線フレームから、Ｓ個のＰＯを前記ページング時間窓として選定することを含み、
前記少なくとも１つの無線フレームが参照ＰＦを含み、又は、
前記少なくとも１つの無線フレームが前記参照ＰＦ及び前記参照ＰＦの前のＫ１個の無線フレーム及び／又は前記参照ＰＦの後のＫ２個の無線フレームを含み、Ｋ１とＫ２とが正の整数である
ことを特徴とする請求項１又は２に記載のページング方法。
【請求項６】
端末デバイスが、ネットワークデバイスが端末デバイスをページングするためのページング時間窓を決定することと、
前記端末デバイスが前記候補ページング時間窓において、ネットワークデバイスにより送信されたページングメッセージをリッスンすることとを含み、
前記ページング時間窓がＳ個の候補ページング時刻ＰＯを含み、Ｓが１以上の正の整数である
ことを特徴とするページング方法。
【請求項７】
前記端末デバイスが、ネットワークデバイスが端末デバイスをページングするためのページング時間窓を決定することは、
前記端末デバイスが、前記ネットワークデバイスが前記端末デバイスをページングするための参照ページングフレームＰＦにおいて、参照ＰＯを決定することと、
前記端末デバイスが前記参照ＰＯ、及び前記参照ＰＯの前のＭ１個のＰＯ及び／又は前記参照ＰＯの後のＭ２個のＰＯを前記ページング時間窓として決定することとを含み、Ｍ１とＭ２とが正の整数である
ことを特徴とする請求項６に記載のページング方法。
【請求項８】
2021513767.tif 000024
【請求項９】
前記端末デバイスが、ネットワークデバイスが端末デバイスをページングするためのページング時間窓を決定することは、
前記端末デバイスが少なくとも１つの無線フレームから、Ｓ個のＰＯを前記ページング時間窓として選定することを含み、
前記少なくとも１つの無線フレームが参照ＰＦを含み、又は、
前記少なくとも１つの無線フレームが前記参照ＰＦ及び前記参照ＰＦの前のＫ１個の無線フレーム及び／又は前記参照ＰＦの後のＫ２個の無線フレームを含み、Ｋ１とＫ２とが正の整数である
ことを特徴とする請求項６に記載のページング方法。
【請求項１０】
前記端末デバイスが少なくとも１つの無線フレームから、Ｓ個のＰＯを前記ページング時間窓として選定することは、
前記端末デバイスが前記ネットワークデバイスにより送信された第２の指示情報を受信し、前記第２の指示情報が前記Ｓ個のＰＯの位置を示すこと、又は、
前記端末デバイスが前記端末デバイスに予め記憶された前記Ｓ個のＰＯ的位置情報を取得することを含む
ことを特徴とする請求項９に記載のページング方法。
【請求項１１】
決定ユニットと、リッスンユニットと、を備えるネットワークデバイスであって、
前記決定ユニットは、端末デバイスをページングするためのページング時間窓を決定するように構成され、前記ページング時間窓がＳ個の候補ページング時刻ＰＯを含み、Ｓが１以上の正の整数であり、
リッスンユニットは、前記ページング時間窓に基づいて、許可不要の周波数帯上のキャリアが空いてるかどうかをリッスンするように構成される
ことを特徴とするネットワークデバイス。
【請求項１２】
前記ネットワークデバイスが送信ユニットをさらに含み、
前記送信ユニットは、リッスン結果に基づいて、前記ページング時間窓のＰＯにおいて、前記端末デバイスをページングするように構成される
ことを特徴とする請求項１１に記載のネットワークデバイス。
【請求項１３】
前記決定ユニットは、
前記端末デバイスをページングするための参照ページングフレームＰＦから、参照ＰＯを決定し、
前記参照ＰＯ、及び前記参照ＰＯの前のＭ１個のＰＯ及び／又は前記参照ＰＯの後のＭ２個のＰＯを前記ページング時間窓として決定するように構成され、Ｍ１とＭ２とが正の整数である
ことを特徴とする請求項１１又は１２に記載のネットワークデバイス。
【請求項１４】
2021513767.tif 000025
【請求項１５】
前記決定ユニットは、
少なくとも１つの無線フレームから、Ｓ個のＰＯを前記ページング時間窓として選定するように構成され、
前記少なくとも１つの無線フレームが参照ＰＦを含み、又は、
前記少なくとも１つの無線フレームが前記参照ＰＦ及び前記参照ＰＦの前のＫ１個の無線フレーム及び／又は前記参照ＰＦの後のＫ２個の無線フレームを含み、Ｋ１とＫ２とが正の整数である
ことを特徴とする請求項１１又は１２に記載のネットワークデバイス。
【請求項１６】
決定ユニットと、リッスンユニットと、を備えるページング端末デバイスであって、
前記決定ユニットは、ネットワークデバイスが端末デバイスをページングするためのページング時間窓を決定するように構成され、前記ページング時間窓がＳ個の候補ページング時刻ＰＯを含み、Ｓが１以上の正の整数であり、
リッスンユニットは、前記ページング時間窓において、ネットワークデバイスにより送信されたページングメッセージをリッスンするように構成される
ことを特徴とする端末デバイス。
【請求項１７】
前記決定ユニットは、
前記ネットワークデバイスが前記端末デバイスをページングするための参照ページングフレームＰＦから、参照ＰＯを決定し、
前記参照ＰＯ、及び前記参照ＰＯの前のＭ１個のＰＯ及び／又は前記参照ＰＯの後のＭ２個のＰＯを、前記ページング時間窓として決定するように構成され、Ｍ１とＭ２とが正の整数である
ことを特徴とする請求項１６に記載の端末デバイス。
【請求項１８】
2021513767.tif 000026
【請求項１９】
前記決定ユニットは、
少なくとも１つの無線フレームから、Ｓ個のＰＯを前記ページング時間窓として選定するように構成され、
前記少なくとも１つの無線フレームが参照ＰＦを含み、又は、
前記少なくとも１つの無線フレームが前記参照ＰＦ及び前記参照ＰＦの前のＫ１個の無線フレーム及び／又は前記参照ＰＦの後のＫ２個の無線フレームを含み、Ｋ１とＫ２とが正の整数である
ことを特徴とする請求項１６に記載の端末デバイス。
【請求項２０】
前記決定ユニットは、
前記受信ユニットを介して、前記ネットワークデバイスにより送信された第２の指示情報を受信し、前記第２の指示情報が前記Ｓ個のＰＯの位置を示し、
又は、
前記端末デバイスに予め記憶された前記Ｓ個のＰＯの位置情報を取得するように構成される
ことを特徴とする請求項１９に記載の端末デバイス。
【国際調査報告】
2021513767.tif 000027
2021513767.tif 000028
2021513767.tif 000029
2021513767.tif 000030